(57)【要約】【課題】  非特定ユーザ（移動通信端末）が設定する呼の切断を抑制する移動通信システム、ネットワーク装置及び移動通信方法を提供する。【解決手段】  特定セル用ネットワーク装置２０は、特定セルの近傍に設けられる近傍公衆セル用無線基地局を識別可能に構成された近傍基地局情報を収集するように構成された収集部２２と、特定セルへのアクセスが制限されたＵＥ１０から特定セルを経由して受信する再接続要求に応じて、公衆セル用ネットワーク装置３０に対して、近傍基地局情報を通知するように構成された通信部２１とを備える。公衆セル用ネットワーク装置３０は、近傍基地局情報に基づいて、近傍公衆セル用無線基地局が有する複数の公衆セルの中から、通信部２１が利用すべき遷移先公衆セルを選択する。【選択図】  図３
2011182124.tif 000002
【特許請求の範囲】
【請求項１】
アクセス種別が設定可能に構成された特定セルを有する特定セル用無線基地局と、公衆セルを有する公衆セル用無線基地局とを有する移動通信システムであって、
前記特定セルの近傍に設けられる近傍公衆セル用無線基地局を識別可能に構成された近傍基地局情報を収集するように構成された収集部と、
前記近傍公衆セル用無線基地局を管理するネットワーク装置に対して、前記近傍基地局情報を通知し、前記近傍公衆セル用無線基地局を管理するネットワーク装置に対して、前記特定セルへのアクセスが制限された移動通信端末から前記特定セルを経由して受信する再接続要求を通知するように構成された通知部とを備え、
前記近傍公衆セル用無線基地局を管理するネットワーク装置は、前記近傍基地局情報に基づいて、前記近傍公衆セル用無線基地局が有する複数の公衆セルの中から、前記移動通信端末が利用すべき遷移先公衆セルを選択する選択部を有することを特徴とする移動通信システム。
【請求項２】
前記収集部は、
前記特定セル用無線基地局に対して、前記公衆セル用無線基地局から送信される報知情報の電波強度の測定を指示し、前記特定セル用無線基地局から、公衆セル用無線基地局を識別可能に構成された電波強度測定結果を取得し、
前記電波強度測定結果に基づいて、前記近傍公衆セル用無線基地局を決定することを特徴とする請求項１に記載の移動通信システム。
【請求項３】
前記選択部は、前記近傍公衆セル用無線基地局が有する複数の公衆セルの中から、使用リソースが最も少ない公衆セルを遷移先公衆セルとして選択することを特徴とする請求項１に記載の移動通信システム。
【請求項４】
前記選択部は、前記近傍公衆セル用無線基地局が有する複数の公衆セルの中から、ランダムに遷移先公衆セルを選択することを特徴とする請求項１に記載の移動通信システム。
【請求項５】
アクセス種別が設定可能に構成された特定セルを有する特定セル用無線基地局と、公衆セルを有する複数の公衆セル用無線基地局とを有する移動通信システムに設けられるネットワーク装置であって、
前記特定セルの近傍に設けられる近傍公衆セル用無線基地局を識別可能に構成された近傍基地局情報を収集するように構成された収集部と、
前記近傍公衆セル用無線基地局を管理するネットワーク装置に対して、前記近傍基地局情報を通知し、前記近傍公衆セル用無線基地局を管理するネットワーク装置に対して、前記特定セルへのアクセスが制限された移動通信端末から前記特定セルを経由して受信する再接続要求を通知するように構成された通知部とを備えることを特徴とするネットワーク装置。
【請求項６】
アクセス種別が設定可能に構成された特定セルを有する特定セル用無線基地局と、公衆セルを有する複数の公衆セル用無線基地局とを有する移動通信システムに適用される移動通信方法であって、
前記特定セルの近傍に設けられる近傍公衆セル用無線基地局を識別可能に構成された近傍基地局情報を収集するステップと、
前記近傍公衆セル用無線基地局を管理するネットワーク装置に対して、前記近傍基地局情報を通知するステップと、
前記近傍公衆セル用無線基地局を管理するネットワーク装置に対して、前記特定セルへのアクセスが制限された移動通信端末から前記特定セルを経由して受信する再接続要求を通知するステップと、
前記近傍公衆セル用無線基地局を管理するネットワーク装置が、前記近傍基地局情報に基づいて、前記近傍公衆セル用無線基地局が有する複数の公衆セルの中から、前記移動通信端末が利用すべき遷移先公衆セルを選択するステップとを備えることを特徴とする移動通信方法。
【請求項７】
アクセス種別が設定可能に構成された特定セルを有する特定セル用無線基地局と、公衆セルを有する公衆セル用無線基地局とを有する移動通信システムであって、
前記特定セルへのアクセスが制限された移動通信端末から前記特定セルを経由して再接続要求を受信するように構成された受信部と、
前記再接続要求に応じて、前記特定セル用無線基地局に対して、前記特定セルの送信電力を低減するように指示するように構成された指示部とを備えることを特徴とする移動通信システム。
【請求項８】
アクセス種別が設定可能に構成された特定セルを有する特定セル用無線基地局と、公衆セルを有する公衆セル用無線基地局とを有する移動通信システムに設けられるネットワーク装置であって、
前記特定セルへのアクセスが制限された移動通信端末から前記特定セルを経由して再接続要求を受信するように構成された受信部と、
前記再接続要求に応じて、前記特定セル用無線基地局に対して、前記特定セルの送信電力を低減するように指示するように構成された指示部とを備えることを特徴とするネットワーク装置。
【請求項９】
アクセス種別が設定可能に構成された特定セルを有する特定セル用無線基地局と、公衆セルを有する公衆セル用無線基地局とを有する移動通信システムに適用される移動通信方法であって、
前記特定セルへのアクセスが制限された移動通信端末から前記特定セルを経由して再接続要求を受信するステップと、
前記再接続要求に応じて、前記特定セル用無線基地局に対して、前記特定セルの送信電力を低減するように指示するステップとを備えることを特徴とする移動通信方法。
【発明の詳細な説明】
【技術分野】
【０００１】
本発明は、アクセス種別が設定可能に構成された特定セルを有する特定セル用無線基地局と、公衆セルを有する複数の公衆セル用無線基地局とを有する移動通信システム、移動通信システムで用いられるネットワーク装置及び移動通信方法に関する。
【背景技術】
【０００２】
ＣＳＧ（Ｃｌｏｓｅｄ  Ｓｕｂｓｃｒｉｂｅｒ  Ｇｒｏｕｐ）セル、ホームセル又はフェムトセルなどと称される特定セルが知られている（例えば、非特許文献１）。なお、特定セルには、アクセス種別を設定することが可能である。アクセス種別は、「Ｃｌｏｓｅｄ」、「Ｈｙｂｒｉｄ」又は「Ｏｐｅｎ」である。
【０００３】
「Ｃｌｏｓｅｄ」の特定セルは、特定ユーザ（ＵＥ；Ｕｓｅｒ  Ｅｑｕｉｐｍｅｎｔ）に対するサービスの提供のみが許可されるように構成される。「Ｈｙｂｒｉｄ」の特定セルは、特定ユーザに対して他のユーザ（非特定ユーザ）よりも高品質の通信が許可されるように構成される。「Ｏｐｅｎ」の特定セルは、一般的な公衆セルと同様に、全てのユーザに対するサービスの提供が許可されるように構成される。
【０００４】
ここで、非特定ユーザに対するサービスの提供が許可されていない特定セルは、非特定ユーザ（移動通信端末）からの再接続要求を受信した場合に、再接続応答によって呼の切断を移動通信端末に指示する。或いは、特定セルは、非特定ユーザ（移動通信端末）からの再接続要求を無視する。
【先行技術文献】
【非特許文献】
【０００５】
【非特許文献１】３ＧＰＰ  ＴＳ２２．２２０  ｖ．１０．１．０
【発明の概要】
【発明が解決しようとする課題】
【０００６】
ここで、非特定ユーザ（移動通信端末）が特定セルに近づくと、特定セルからの信号強度が大きくなるため、非特定ユーザ（移動通信端末）が特定セルに対する再接続要求の送信を繰り返すことが考えられる。
【０００７】
例えば、再接続要求の送信回数に上限値が定められている場合には、非特定ユーザ（移動通信端末）が設定する呼が最終的に切断されてしまう。
【０００８】
そこで、本発明は、上述した課題を解決するためになされたものであり、非特定ユーザ（移動通信端末）が設定する呼の切断を抑制することを可能とする移動通信システム、ネットワーク装置及び移動通信方法を提供することを目的とする。
【課題を解決するための手段】
【０００９】
第１の特徴に係る移動通信システムは、アクセス種別が設定可能に構成された特定セルを有する特定セル用無線基地局と、公衆セルを有する複数の公衆セル用無線基地局とを有する。移動通信システムは、前記特定セルの近傍に設けられる近傍公衆セル用無線基地局を識別可能に構成された近傍基地局情報を収集するように構成された収集部と、前記近傍公衆セル用無線基地局を管理するネットワーク装置に対して、前記近傍基地局情報を通知し、前記近傍公衆セル用無線基地局を管理するネットワーク装置に対して、前記特定セルへのアクセスが制限された移動通信端末から前記特定セルを経由して受信する再接続要求を通知するように構成された通知部とを備える。前記近傍公衆セル用無線基地局を管理するネットワーク装置は、前記近傍基地局情報に基づいて、前記近傍公衆セル用無線基地局が有する複数の公衆セルの中から、前記移動通信端末が利用すべき遷移先公衆セルを選択する選択部を有する。
【００１０】
第１の特徴において、前記収集部は、前記特定セル用無線基地局に対して、前記公衆セル用無線基地局から送信される報知情報の電波強度の測定を指示し、前記特定セル用無線基地局から、公衆セル用無線基地局を識別可能に構成された電波強度測定結果を取得する。前記収集部は、前記電波強度測定結果に基づいて、前記近傍公衆セル用無線基地局を決定する。
【００１１】
第１の特徴において、前記選択部は、前記近傍公衆セル用無線基地局が有する複数の公衆セルの中から、使用リソースが最も少ない公衆セルを遷移先公衆セルとして選択する。
【００１２】
第１の特徴において、前記選択部は、前記近傍公衆セル用無線基地局が有する複数の公衆セルの中から、ランダムに遷移先公衆セルを選択する。
【００１３】
第２の特徴に係るネットワーク装置は、アクセス種別が設定可能に構成された特定セルを有する特定セル用無線基地局と、公衆セルを有する複数の公衆セル用無線基地局とを有する移動通信システムに設けられる。ネットワーク装置は、前記特定セルの近傍に設けられる近傍公衆セル用無線基地局を識別可能に構成された近傍基地局情報を収集するように構成された収集部と、前記近傍公衆セル用無線基地局を管理するネットワーク装置に対して、前記近傍基地局情報を通知し、前記近傍公衆セル用無線基地局を管理するネットワーク装置に対して、前記特定セルへのアクセスが制限された移動通信端末から前記特定セルを経由して受信する再接続要求を通知するように構成された通知部とを備える。
【００１４】
第３の特徴に係る移動通信方法は、アクセス種別が設定可能に構成された特定セルを有する特定セル用無線基地局と、公衆セルを有する複数の公衆セル用無線基地局とを有する移動通信システムに適用される。移動通信方法は、前記特定セルの近傍に設けられる近傍公衆セル用無線基地局を識別可能に構成された近傍基地局情報を収集するステップと、前記近傍公衆セル用無線基地局を管理するネットワーク装置に対して、前記近傍基地局情報を通知するステップと、前記近傍公衆セル用無線基地局を管理するネットワーク装置に対して、前記特定セルへのアクセスが制限された移動通信端末から前記特定セルを経由して受信する再接続要求を通知するステップと、前記近傍公衆セル用無線基地局を管理するネットワーク装置が、前記近傍基地局情報に基づいて、前記近傍公衆セル用無線基地局が有する複数の公衆セルの中から、前記移動通信端末が利用すべき遷移先公衆セルを選択するステップとを備える。
【００１５】
第４の特徴に係る移動通信システムは、アクセス種別が設定可能に構成された特定セルを有する特定セル用無線基地局と、公衆セルを有する公衆セル用無線基地局とを有する。移動通信システムは、前記特定セルへのアクセスが制限された移動通信端末から前記特定セルを経由して再接続要求を受信するように構成された受信部と、前記再接続要求に応じて、前記特定セル用無線基地局に対して、前記特定セルの送信電力を低減するように指示するように構成された指示部とを備える。
【００１６】
第５の特徴に係るネットワーク装置は、アクセス種別が設定可能に構成された特定セルを有する特定セル用無線基地局と、公衆セルを有する公衆セル用無線基地局とを有する移動通信システムに設けられる。ネットワーク装置は、前記特定セルへのアクセスが制限された移動通信端末から前記特定セルを経由して再接続要求を受信するように構成された受信部と、前記再接続要求に応じて、前記特定セル用無線基地局に対して、前記特定セルの送信電力を低減するように指示するように構成された指示部とを備える。
【００１７】
第６の特徴に係る移動通信方法は、アクセス種別が設定可能に構成された特定セルを有する特定セル用無線基地局と、公衆セルを有する公衆セル用無線基地局とを有する移動通信システムに適用される。移動通信方法は、前記特定セルへのアクセスが制限された移動通信端末から前記特定セルを経由して再接続要求を受信するステップと、前記再接続要求に応じて、前記特定セル用無線基地局に対して、前記特定セルの送信電力を低減するように指示するステップとを備える。
【発明の効果】
【００１８】
本発明によれば、非特定ユーザ（移動通信端末）が設定する呼の切断を抑制することを可能とする移動通信システム、ネットワーク装置及び移動通信方法を提供することができる。
【図面の簡単な説明】
【００１９】
【図１】第１実施形態に係る移動通信システム１００を示す図である。
【図２】第１実施形態に係る特定セル用ネットワーク装置２０を示す図である。
【図３】第１実施形態に係る公衆セル用ネットワーク装置３０を示す図である。
【図４】第１実施形態に係る移動通信システム１００の動作を示すシーケンス図である。
【図５】第１実施形態に係る特定セル用ネットワーク装置２０の動作を示すフロー図である。
【図６】第１実施形態に係る特定セル用ネットワーク装置２０の動作を示すフロー図である。
【図７】第１実施形態に係る公衆セル用ネットワーク装置３０の動作を示すフロー図である。
【図８】第２実施形態に係る特定セル用ネットワーク装置２０を示す図である。
【図９】第２実施形態に係る特定セル用ネットワーク装置２０を示す図である。
【図１０】変更例１に係る移動通信システム１００を示す図である。
【発明を実施するための形態】
【００２０】
以下において、本発明の実施形態に係る移動通信システムについて、図面を参照しながら説明する。なお、以下の図面の記載において、同一又は類似の部分には、同一又は類似の符号を付している。
【００２１】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２２】
［実施形態の概要］
第１に、実施形態に係る移動通信システムは、アクセス種別が設定可能に構成された特定セルを有する特定セル用無線基地局と、公衆セルを有する複数の公衆セル用無線基地局とを有する。移動通信システムは、特定セルの近傍に設けられる近傍公衆セル用無線基地局を識別可能に構成された近傍基地局情報を収集するように構成された収集部と、近傍公衆セル用無線基地局を管理するネットワーク装置に対して、近傍基地局情報を通知し、近傍公衆セル用無線基地局を管理するネットワーク装置に対して、特定セルへのアクセスが制限された移動通信端末から特定セルを経由して受信する再接続要求を通知するように構成された通知部とを備える。近傍公衆セル用無線基地局を管理するネットワーク装置は、近傍基地局情報に基づいて、近傍公衆セル用無線基地局が有する複数の公衆セルの中から、移動通信端末が利用すべき遷移先公衆セルを選択する選択部を有する。
【００２３】
実施形態では、収集部は、特定セルの近傍に設けられる近傍公衆セル用無線基地局を識別可能に構成された近傍基地局情報を収集する。近傍公衆セル用無線基地局を管理するネットワーク装置は、近傍基地局情報に基づいて、移動通信端末が利用すべき遷移先公衆セルを選択する。
【００２４】
従って、特定セルへのアクセスが制限された移動通信端末（非特定ユーザ）が、特定セルからの干渉によって待ち受け又は通信を継続できない場合に、再接続要求に応じて、適切な遷移先公衆セルが選択される。移動通信端末（非特定ユーザ）が設定する呼の切断を抑制することができる。
【００２５】
言い換えると、近傍公衆セル用無線基地局を管理するネットワーク装置は、近傍基地局情報に基づいて、特定セルの近傍に設けられる近傍公衆セル用無線基地局を特定し、近傍公衆セル用無線基地局が有する特定セルを特定することができる。従って、移動通信端末（非特定ユーザ）が利用可能な公衆セルの中から、遷移先公衆セルを選択することができる。
【００２６】
第２に、実施形態に係る移動通信システムは、アクセス種別が設定可能に構成された特定セルを有する特定セル用無線基地局と、公衆セルを有する公衆セル用無線基地局とを有する。移動通信システムは、特定セルへのアクセスが制限された移動通信端末から特定セルを経由して再接続要求を受信するように構成された受信部と、再接続要求に応じて、特定セル用無線基地局に対して、特定セルの送信電力を低減するように指示するように構成された指示部とを備える。
【００２７】
実施形態では、指示部は、再接続要求に応じて、特定セル用無線基地局に対して、特定セルの送信電力を低減するように指示する。
【００２８】
すなわち、特定セルへのアクセスが制限された移動通信端末（非特定ユーザ）が、特定セルからの干渉によって待ち受け又は通信を継続できない場合に、再接続要求に応じて、特定セルからの干渉を減少させる。従って、移動通信端末（非特定ユーザ）が設定する呼の切断を抑制することができる。
【００２９】
［第１実施形態］
（移動通信システムの構成）
以下において、第１実施形態に係る移動通信システムの構成について、図面を参照しながら説明する。図１は、第１実施形態に係る移動通信システム１００を示す図である。
【００３０】
図１に示すように、移動通信システム１００は、通信端末装置１０（以下、ＵＥ１０）と、コアネットワーク５０とを含む。また、移動通信システム１００は、第１通信システムと第２通信システムとを含む。
【００３１】
第１通信システムは、例えば、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）に対応する通信システムである。第１通信システムは、基地局１１０Ａ（以下、ＮＢ１１０Ａ）と、ホーム基地局１１０Ｂ（以下、ＨＮＢ１１０Ｂ）と、ＲＮＣ１２０Ａと、ホーム基地局ゲートウェイ１２０Ｂ（以下、ＨＮＢ−ＧＷ１２０Ｂ）と、ＳＧＳＮ１３０とを有する。
【００３２】
なお、第１通信システムに対応する無線アクセスネットワーク（ＵＴＲＡＮ；Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ＮＢ１１０Ａ、ＨＮＢ１１０Ｂ、ＲＮＣ１２０Ａ、ＨＮＢ−ＧＷ１２０Ｂによって構成される。
【００３３】
第２通信システムは、例えば、ＬＴＥ（Ｌｏｎｇ  Ｔｅｒｍ  Ｅｖｏｌｕｔｉｏｎ）に対応する通信システムである。第２通信システムは、例えば、基地局２１０Ａ（以下、ｅＮＢ２１０Ａ）と、ホーム基地局２１０Ｂ（以下、ＨｅＮＢ２１０Ｂ）と、ホーム基地局ゲートウェイ２２０Ｂ（以下、ＨｅＮＢ−ＧＷ２２０Ｂ）と、ＭＭＥ２３０とを有する。
【００３４】
なお、第２通信システムに対応する無線アクセスネットワーク（Ｅ−ＵＴＲＡＮ；Ｅｖｏｌｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ｅＮＢ２１０Ａ、ＨｅＮＢ２１０Ｂ及びＨｅＮＢ−ＧＷ２２０Ｂによって構成される。
【００３５】
ＵＥ１０は、第１通信システム或いは第２通信システムと通信を行うように構成された装置（Ｕｓｅｒ  Ｅｑｕｉｐｍｅｎｔ）である。例えば、ＵＥ１０は、ＮＢ１１０Ａ及びＨＮＢ１１０Ｂと無線通信を行う機能を有する。或いは、ＵＥ１０は、ｅＮＢ２１０Ａ及びＨｅＮＢ２１０Ｂと無線通信を行う機能を有する。
【００３６】
ＮＢ１１０Ａは、公衆セル１１１Ａを有しており、公衆セル１１１Ａに存在するＵＥ１０と無線通信を行う装置（ＮｏｄｅＢ）である。
【００３７】
ＨＮＢ１１０Ｂは、特定セル１１１Ｂを有しており、特定セル１１１Ｂに存在するＵＥ１０と無線通信を行う装置（Ｈｏｍｅ  ＮｏｄｅＢ）である。
【００３８】
ＲＮＣ１２０Ａは、ＮＢ１１０Ａに接続されており、公衆セル１１１Ａに存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００３９】
ＨＮＢ−ＧＷ１２０Ｂは、ＨＮＢ１１０Ｂに接続されており、特定セル１１１Ｂに存在するＵＥ１０と無線接続（ＲＲＣ  Ｃｏｎｎｅｃｔｉｏｎ）を設定する装置（Ｈｏｍｅ  ＮｏｄｅＢ  Ｇａｔｅｗａｙ）である。
【００４０】
ＳＧＳＮ１３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ１３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００４１】
ｅＮＢ２１０Ａは、公衆セル２１１Ａを有しており、公衆セル２１１Ａに存在するＵＥ１０と無線通信を行う装置（ｅｖｏｌｖｅｄ  ＮｏｄｅＢ）である。
【００４２】
ＨｅＮＢ２１０Ｂは、特定セル２１１Ｂを有しており、特定セル２１１Ｂに存在するＵＥ１０と無線通信を行う装置（Ｈｏｍｅ  ｅｖｏｌｖｅｄ  ＮｏｄｅＢ）である。
【００４３】
ＨｅＮＢ−ＧＷ２２０Ｂは、ＨｅＮＢ２１０Ｂに接続されており、ＨｅＮＢ２１０Ｂを管理する装置（Ｈｏｍｅ  ｅｖｏｌｖｅｄ  ＮｏｄｅＢ  Ｇａｔｅｗａｙ）である。
【００４４】
ＭＭＥ２３０は、ｅＮＢ２１０Ａと接続されており、ｅＮＢ２１０Ａと無線接続を設定しているＵＥ１０の移動性を管理する装置（Ｍｏｂｉｌｉｔｙ  Ｍａｎａｇｅｍｅｎｔ  Ｅｎｔｉｔｙ）である。また、ＭＭＥ２３０は、ＨｅＮＢ−ＧＷ２２０Ｂを介してＨｅＮＢ２１０Ｂと接続されており、ＨｅＮＢ２１０Ｂと無線接続を設定しているＵＥ１０の移動性を管理する装置である。
【００４５】
なお、公衆セル及び特定セルは、ＵＥ１０と無線通信を行う機能として理解すべきである。但し、公衆セル及び特定セルは、セルのサービスエリアを示す用語としても用いられる。また、公衆セル及び特定セルなどのセルは、セルで用いられる周波数、拡散コード又はタイムスロットなどによって識別される。
【００４６】
特定セルは、フェムトセル、ＣＳＧ（Ｃｌｏｓｅｄ  Ｓｕｂｓｃｒｉｂｅｒ  Ｇｒｏｕｐ）セル、ホームセルなどと称されることもある。また、特定セルは、特定セルにアクセス可能なＵＥ１０を規定するアクセス種別が設定可能に構成されている。アクセス種別は、「Ｃｌｏｓｅｄ」、「Ｈｙｂｒｉｄ」又は「Ｏｐｅｎ」である。
【００４７】
「Ｃｌｏｓｅｄ」の特定セルは、特定セルによって管理される特定ユーザ（ＵＥ；Ｕｓｅｒ  Ｅｑｕｉｐｍｅｎｔ）に対するサービスの提供のみが許可されるように構成される。
【００４８】
「Ｈｙｂｒｉｄ」の特定セルは、例えば、特定セルによって管理される特定ユーザに対して高品質の通信が許可されるように構成されており、特定セルによって管理されていない非特定ユーザに対してベストエフォート品質の通信が許可されるように構成される。
【００４９】
「Ｏｐｅｎ」の特定セルは、公衆セルと同様に、全てのＵＥ１０に対するサービスの提供が許可されるように構成される。なお、「Ｏｐｅｎ」のセルでは、特定セルによって管理されている否かによって、ＵＥ１０間の通信品質の差異が区別されない。
【００５０】
なお、アクセス種別は、アクセスクラス毎にＵＥ１０のアクセスを禁止する「ＡＣＣＥＳＳ  ＣＬＡＳＳ  ＢＡＲＲＥＤ」、セル毎にＵＥ１０のアクセスを禁止する「ＣＥＬＬ  ＢＡＲＲＥＤ」であってもよい。
【００５１】
（特定セル用ネットワーク装置の構成）
以下において、第１実施形態に係る特定セル用ネットワーク装置の構成について、図面を参照しながら説明する。図２は、第１実施形態に係る特定セル用ネットワーク装置２０を示す図である。図２に示すように、特定セル用ネットワーク装置２０は、通信部２１と、収集部２２と、再接続処理部２３とを有する。
【００５２】
なお、特定セル用ネットワーク装置２０は、特定セルを有する特定セル用無線基地局（例えば、ＨＮＢ１１０Ｂ、ＨｅＮＢ２１０Ｂ）であってもよい。或いは、特定セル用ネットワーク装置２０は、特定セル用無線基地局の上位に設けられた装置（例えば、ＨＮＢ−ＧＷ１２０Ｂ、ＳＧＳＮ１３０、ＨｅＮＢ−ＧＷ２２０Ｂ、ＭＭＥ２３０）であってもよい。
【００５３】
通信部２１は、ＵＥ１０と通信を行う。また、通信部２１は、他のネットワーク装置と通信を行う。或いは、通信部２１は、特定セル用ネットワーク装置２０の配下に設けられる特定セル用無線基地局（例えば、ＨＮＢ１１０Ｂ、ＨｅＮＢ２１０Ｂ）と通信を行う。
【００５４】
例えば、通信部２１は、特定セルへのアクセスが制限されたＵＥ１０（非特定ユーザ）から特定セルを経由して、特定セルからの干渉に起因する再接続要求を受信する。
【００５５】
ここで、ＵＥ１０（非特定ユーザ）が特定セルに近づくと、特定セルからの干渉が大きくなるため、待ち受け或いは通信を継続することができない。一方で、特定セルから報知される報知情報（例えば、パイロットチャネル）などの電波強度（受信強度）が大きい。従って、ＵＥ１０（非特定ユーザ）は、特定セルを経由して再接続要求を送信する。
【００５６】
或いは、通信部２１は、特定セル用無線基地局に対して、公衆セルから送信される報知情報（例えば、パイロットチャネル）の電波強度（受信強度）の測定を指示する測定指示情報を送信する。通信部２１は、特定セル用無線基地局から、公衆セルから報知される報知情報の電波強度（受信強度）を含む電波強度測定結果を受信する。
【００５７】
なお、特定セル用ネットワーク装置２０から報知情報の電波強度（受信強度）の測定を指示された特定セル用無線基地局は、複数の周波数を切り替えながら報知情報をサーチする。これによって、特定セル用無線基地局は、特定セルの近傍に設けられる公衆セルの情報（例えば、周波数及び電波強度（受信強度）の対応関係）を特定することができる。特定セル用無線基地局は、特定セルの近傍に設けられる公衆セルの情報（例えば、周波数及び電波強度（受信強度）の対応関係）を電波強度測定結果として特定セル用ネットワーク装置２０に送信する。
【００５８】
或いは、通信部２１は、後述する公衆セル用ネットワーク装置３０に対して、ＵＥ１０（非特定ユーザ）から受信する再接続要求を送信する。通信部２１は、後述する公衆セル用ネットワーク装置３０から、ＵＥ１０（非特定ユーザ）から受信する再接続要求に対する再接続応答を受信する。通信部２１は、再接続応答をＵＥ１０（非特定ユーザ）に送信する。
【００５９】
或いは、通信部２１は、後述する公衆セル用ネットワーク装置３０に対して、収集部２２によって収集される近傍基地局情報を送信してもよい。なお、通信部２１は、再接続要求とともに近傍基地局情報を送信してもよい。また、通信部２１は、再接続要求とは別に、近傍基地局情報を送信してもよい。
【００６０】
収集部２２は、特定セルの近傍に設けられる近傍公衆セル用無線基地局を識別可能に構成された近傍基地局情報を収集する。
【００６１】
なお、近傍基地局情報は、近傍公衆セル用無線基地局を識別する識別子であってもよい。或いは、近傍基地局情報は、特定セルの近傍に設けられる公衆セルで用いられる周波数構成であってもよい。
【００６２】
具体的には、第１に、収集部２２は、特定セル用無線基地局に対して、公衆セル用無線基地局から送信される報知情報（例えば、パイロットチャネル）の電波強度（受信強度）の測定を指示する。詳細には、収集部２２は、測定指示情報の送信を通信部２１に指示する。
【００６３】
第２に、収集部２２は、特定セル用無線基地局から受信する電波強度測定結果に基づいて、特定セルの近傍に設けられる近傍公衆セル用無線基地局を決定する。詳細には、収集部２２は、電波強度（受信強度）が最も大きい公衆セルを有する公衆セル用無線基地局を近傍公衆セル用無線基地局として決定する。但し、近傍公衆セル用無線基地局は、１つの公衆セル用無線基地局でなくてもよい。すなわち、収集部２２は、近傍公衆セル用無線基地局は、電波強度（受信強度）が大きい順に複数の公衆セルを選択し、選択された公衆セルを有する複数の公衆セル用無線基地局を近傍公衆セル用無線基地局として決定してもよい。
【００６４】
再接続処理部２３は、ＵＥ１０（非特定ユーザ）から受信する再接続要求を処理する。具体的には、再接続処理部２３は、ＵＥ１０（非特定ユーザ）から受信する再接続要求の送信を通信部２１に指示する。上述したように、再接続要求は、後述する公衆セル用ネットワーク装置３０に送信される。
【００６５】
なお、再接続処理部２３は、近傍公衆セル用無線基地局を識別可能に構成された近傍基地局情報を再接続要求に付与してもよい。但し、近傍基地局情報は、事前に、後述する公衆セル用ネットワーク装置３０に送信されていてもよい。
【００６６】
また、再接続処理部２３は、ＵＥ１０（非特定ユーザ）から受信する再接続要求に対する再接続応答の送信を通信部２１に指示する。上述したように、再接続応答は、ＵＥ１０（非特定ユーザ）に送信される。
【００６７】
ここで、再接続応答は、後述するように、ＵＥ１０（非特定ユーザ）が利用すべき遷移先公衆セルを特定する遷移先情報（例えば、周波数、コードなど）を含む。
【００６８】
（公衆セル用ネットワーク装置の構成）
以下において、第１実施形態に係る公衆セル用ネットワーク装置の構成について、図面を参照しながら説明する。図３は、第１実施形態に係る公衆セル用ネットワーク装置３０を示す図である。図３に示すように、公衆セル用ネットワーク装置３０は、通信部３１と、選択部３２と、設定部３３とを有する。
【００６９】
なお、公衆セル用ネットワーク装置３０は、公衆セルを有する公衆セル用無線基地局（例えば、ＮＢ１１０Ａ、ｅＮＢ２１０Ａ）であってもよい。或いは、公衆セル用ネットワーク装置３０は、公衆セル用無線基地局の上位に設けられた装置（例えば、ＲＮＣ１２０Ａ、ＳＧＳＮ１３０、ＭＭＥ２３０）であってもよい。
【００７０】
ここでは、公衆セル用ネットワーク装置３０は、近傍公衆セル用無線基地局を管理する装置であるケースを例示する。近傍公衆セル用無線基地局は、ＵＥ１０（非特定ユーザ）が利用していた公衆セルを有する現公衆セル用無線基地局と同じであってもよく、現公衆セル用無線基地局と異なっていてもよい。
【００７１】
通信部３１は、他のネットワーク装置と通信を行う。或いは、通信部２１は、公衆セル用ネットワーク装置３０の配下に設けられる公衆セル用無線基地局（例えば、ＮＢ１１０Ａ、ｅＮＢ２１０Ａ）と通信を行う。
【００７２】
例えば、通信部３１は、特定セル用ネットワーク装置２０から、近傍基地局情報を受信する。或いは、通信部３１は、特定セル用ネットワーク装置２０から、ＵＥ１０（非特定ユーザ）から受信する再接続要求を受信する。上述したように、再接続要求には、近傍基地局情報が付与されていてもよい。通信部３１は、特定セル用ネットワーク装置２０に対して、ＵＥ１０（非特定ユーザ）から受信する再接続要求に対する再接続応答を送信する。
【００７３】
或いは、通信部３１は、公衆セル用無線基地局に対して、公衆セル用無線基地局が有する公衆セルの情報（公衆セルで用いる周波数）を要求するための情報を送信してもよい。通信部３１は、公衆セル用無線基地局から、公衆セル用無線基地局が有する公衆セルの情報（公衆セルで用いる周波数）を受信してもよい。
【００７４】
選択部３２は、ＵＥ１０（非特定ユーザ）が利用すべき遷移先公衆セルを選択する。具体的には、選択部３２は、近傍基地局情報に基づいて、近傍公衆セル用無線基地局が有する複数の公衆セルの中から、ＵＥ１０が利用すべき遷移先公衆セルを選択してもよい。詳細には、選択部３２は、近傍基地局情報に基づいて、ＵＥ１０（非特定ユーザ）が利用可能な近傍公衆セル用無線基地局を特定するとともに、近傍公衆セル用無線基地局が有する公衆セルを特定する。続いて、選択部３２は、特定された公衆セルの中から、ＵＥ１０（非特定ユーザ）が利用していた周波数を用いる公衆セルを除いて、遷移先公衆セルを選択する。
【００７５】
或いは、公衆セル用ネットワーク装置３０が自装置の配下に設けられる公衆セルの構成を示すセル構成情報を管理している場合には、選択部３２は、近傍基地局情報を用いずに、セル構成情報に基づいて、ＵＥ１０が利用すべき遷移先公衆セルを選択してもよい。詳細には、選択部３２は、セル構成情報によって示される公衆セルの中から、ＵＥ１０（非特定ユーザ）が利用していた周波数を用いる公衆セルを除いて、遷移先公衆セルを選択する。例えば、選択部３２は、近傍基地局情報が事前に得られない場合に、セル構成情報を用いて遷移先公衆セルを選択する。
【００７６】
ここで、選択部３２は、特定された公衆セルの中から、ＵＥ１０（非特定ユーザ）が利用していた周波数を用いる公衆セルを除いて、使用リソース（例えば、待ち受け又は通信を行っているＵＥ１０の数）が最も少ない公衆セルを遷移先公衆セルとして選択することが好ましい。或いは、選択部３２は、特定された公衆セルの中から、ＵＥ１０（非特定ユーザ）が利用していた周波数を用いる公衆セルを除いて、ランダムに遷移先公衆セルを選択してもよい。
【００７７】
なお、選択部３２は、遷移先公衆セルで設定すべきチャネルのリソース（コードなど）を選択してもよい。
【００７８】
選択部３２は、遷移先公衆セルを特定する遷移先情報（例えば、周波数、コードなど）を再接続応答に付与して、遷移先情報が付与された再接続応答の送信を通信部３１に指示する。上述したように、遷移先情報が付与された再接続応答は、特定セル用ネットワーク装置２０に送信される。
【００７９】
設定部３３は、選択部３２によって選択された遷移先公衆セルを有する公衆セル用無線基地局とチャネルを設定する。
【００８０】
（移動通信システムの動作）
以下において、第１実施形態に係る移動通信システムの動作について、図面を参照しながら説明する。図４は、第１実施形態に係る移動通信システム１００の動作を示すシーケンス図である。
【００８１】
図４に示すように、ステップ１０において、特定セル用ネットワーク装置２０は、特定セルの近傍に設けられる近傍公衆セル用無線基地局を識別可能に構成された近傍基地局情報を収集する。なお、ステップ１０の詳細については後述する（図５を参照）。
【００８２】
ステップ２０において、ＵＥ１０（非特定ユーザ）は、公衆セル用ネットワーク装置３０の配下に設けられる公衆セルと通信を行っている。
【００８３】
ステップ３０において、ＵＥ１０（非特定ユーザ）が公衆セルから受信する信号の品質（ＳＩＲ；Ｓｉｇｎａｌ  ｔｏ  Ｉｎｔｅｒｆｅｒｅｎｃｅ  Ｒａｔｉｏなど）が劣化する。ここでは、ＵＥ１０（非特定ユーザ）が特定セルに近づいて、特定セルからの干渉の増大に起因して品質が劣化する。例えば、特定セルからの干渉の増大に伴って、ＵＥ１０（非特定ユーザ）と公衆セルとの同期が外れてしまう。
【００８４】
ステップ４０において、ＵＥ１０（非特定ユーザ）は、特定セルを経由して特定セル用ネットワーク装置２０に対して、再接続要求を送信する。
【００８５】
ステップ５０において、特定セル用ネットワーク装置２０は、再接続要求を公衆セル用ネットワーク装置３０に送信する。なお、特定セル用ネットワーク装置２０は、近傍基地局情報を再接続要求に付与してもよい。以下においては、再接続要求に近傍基地局情報が付与されるケースについて例示する。
【００８６】
ステップ６０において、公衆セル用ネットワーク装置３０は、近傍基地局情報に基づいて、遷移先公衆セルを選択する。なお、ステップ６０の詳細については後述する（図７を参照）。
【００８７】
ステップ７０において、公衆セル用ネットワーク装置３０は、遷移先公衆セルを特定する遷移先情報（例えば、周波数やコードなど）が付与された再接続応答を特定セル用ネットワーク装置２０に送信する。
【００８８】
ステップ８０におおいて、特定セル用ネットワーク装置２０は、特定セルを経由してＵＥ１０（非特定ユーザ）に対して、遷移先情報が付与された再接続応答を送信する。
【００８９】
（特定セル用ネットワーク装置の動作）
以下において、第１実施形態に係る特定セル用ネットワーク装置の動作について、図面を参照しながら説明する。図５及び図６は、第１実施形態に係る特定セル用ネットワーク装置２０の動作を示すフロー図である。
【００９０】
第１に、上述したステップ１０の詳細について、図５を参照しながら説明する。図５に示すように、ステップ１１０において、特定セル用ネットワーク装置２０は、特定セル用無線基地局に対して、公衆セル用無線基地局から送信される報知情報（例えば、パイロットチャネル）の電波強度（受信強度）の測定を指示する。また、特定セル用ネットワーク装置２０は、特定セル用無線基地局から電波強度測定結果を受信する。
【００９１】
ステップ１２０において、特定セル用ネットワーク装置２０は、電波強度測定結果に基づいて、特定セルの近傍に設けられる近傍公衆セル用無線基地局を決定する。例えば、特定セル用ネットワーク装置２０は、電波強度測定結果が最も大きい公衆セル用無線基地局を近傍公衆セル用無線基地局として決定する。
【００９２】
ステップ１３０において、特定セル用ネットワーク装置２０は、近傍公衆セル用無線基地局を識別可能に構成された近傍基地局情報を取得する。
【００９３】
第２に、再接続要求の転送処理について、図６を参照しながら説明する。図６に示すように、ステップ２１０において、特定セル用ネットワーク装置２０は、ＵＥ１０（非特定ユーザ）から特定セルを経由して再接続要求を受信する（ステップ４０と同様）。
【００９４】
ステップ２２０において、特定セル用ネットワーク装置２０は、再接続要求に近傍基地局情報を付与する。
【００９５】
ステップ２３０において、特定セル用ネットワーク装置２０は、近傍基地局情報が付与された再接続要求を公衆セル用ネットワーク装置３０に送信する（ステップ５０と同様）。
【００９６】
ステップ２４０において、特定セル用ネットワーク装置２０は、遷移先公衆セルを特定する情報が付与された再接続応答を公衆セル用ネットワーク装置３０から送信受信する（ステップ７０と同様）。
【００９７】
ステップ２５０におおいて、特定セル用ネットワーク装置２０は、特定セルを経由してＵＥ１０（非特定ユーザ）に対して、遷移先公衆セルを特定する情報が付与された再接続応答を送信する（ステップ８０と同様）。
【００９８】
（公衆セル用ネットワーク装置の動作）
以下において、第１実施形態に係る公衆セル用ネットワーク装置３０の動作について、図面を参照しながら説明する。図７は、第１実施形態に係る公衆セル用ネットワーク装置３０の動作を示すフロー図である。具体的には、上述したステップ６０の詳細について説明する。
【００９９】
図７に示すように、ステップ３１０において、公衆セル用ネットワーク装置３０は、近傍基地局情報が付与された再接続要求を特定セル用ネットワーク装置２０から受信する（ステップ５０と同様）。
【０１００】
ステップ３２０において、公衆セル用ネットワーク装置３０は、再接続要求から近傍基地局情報を抽出する。
【０１０１】
ステップ３３０において、公衆セル用ネットワーク装置３０は、近傍基地局情報に基づいて、ＵＥ１０（非特定ユーザ）が利用すべき遷移先公衆セルを選択する。具体的には、公衆セル用ネットワーク装置３０は、近傍基地局情報に基づいて、ＵＥ１０（非特定ユーザ）が利用可能な近傍公衆セル用無線基地局を特定するとともに、近傍公衆セル用無線基地局が有する公衆セルを特定する。続いて、公衆セル用ネットワーク装置３０は、特定された公衆セルの中から、ＵＥ１０（非特定ユーザ）が利用していた周波数を用いる公衆セルを除いて、遷移先公衆セルを選択する。
【０１０２】
ステップ３４０において、公衆セル用ネットワーク装置３０は、ステップ３３０で選択された遷移先公衆セルを有する公衆セル用無線基地局とチャネルを設定する。
【０１０３】
ステップ３５０において、公衆セル用ネットワーク装置３０は、遷移先公衆セルを特定する遷移先情報（例えば、周波数やコードなど）を再接続応答に付与する。
【０１０４】
ステップ３６０において、公衆セル用ネットワーク装置３０は、遷移先公衆セルを特定する遷移先情報（例えば、周波数やコードなど）が付与された再接続応答を特定セル用ネットワーク装置２０に送信する（ステップ７０と同様）。
【０１０５】
（作用及び効果）
第１実施形態では、特定セル用ネットワーク装置２０は、特定セルの近傍に設けられる近傍公衆セル用無線基地局を識別可能に構成された近傍基地局情報を収集する。公衆セル用ネットワーク装置３０は、近傍基地局情報に基づいて、ＵＥ１０が利用すべき遷移先公衆セルを選択する。
【０１０６】
従って、特定セルへのアクセスが制限されたＵＥ１０（非特定ユーザ）が、特定セルからの干渉によって待ち受け又は通信を継続できない場合に、再接続要求に応じて、適切な遷移先公衆セルが選択される。ＵＥ１０（非特定ユーザ）が設定する呼の切断を抑制することができる。
【０１０７】
言い換えると、公衆セル用ネットワーク装置３０は、近傍基地局情報に基づいて、特定セルの近傍に設けられる近傍公衆セル用無線基地局を特定し、近傍公衆セル用無線基地局が有する特定セルを特定することができる。従って、移動通信端末（非特定ユーザ）が利用可能な公衆セルの中から、遷移先公衆セルを選択することができる。
【０１０８】
［第２実施形態］
以下のおいて、第２実施形態について、図面を参照しながら説明する。以下においては、第１実施形態との相違点について主として説明する。
【０１０９】
具体的には、第２実施形態では、特定セル用ネットワーク装置２０は、特定セルへのアクセスが制限されたＵＥ１０（非特定ユーザ）から受信する再接続要求に応じて、特定セルの送信電力を低減するように指示する。
【０１１０】
（特定セル用ネットワーク装置の構成）
以下において、第２実施形態に係る特定セル用ネットワーク装置の構成について、図面を参照しながら説明する。図８は、第２実施形態に係る特定セル用ネットワーク装置４０を示す図である。図８に示すように、特定セル用ネットワーク装置２０は、通信部４１と、監視タイマ４２と、再接続処理部４３とを有する。
【０１１１】
通信部４１は、ＵＥ１０と通信を行う。また、通信部４１は、他のネットワーク装置と通信を行う。或いは、通信部４１は、特定セル用ネットワーク装置２０の配下に設けられる特定セル用無線基地局（例えば、ＨＮＢ１１０Ｂ、ＨｅＮＢ２１０Ｂ）と通信を行う。
【０１１２】
例えば、通信部４１は、特定セルへのアクセスが制限されたＵＥ１０（非特定ユーザ）から特定セルを経由して、特定セルからの干渉に起因する再接続要求を受信する。
【０１１３】
監視タイマ４２は、特定セルの送信電力を低減するように指示してから経過した時間を監視するためのタイマである。監視タイマ４２は、所定監視時間がセットされて、監視タイマ４２にセットされた時間をカウントダウンするように構成される。但し、監視タイマ４２は、特定セルの送信電力を低減するように指示してから経過した時間をカウントアップするように構成されていてもよい。
【０１１４】
再接続処理部４３は、ＵＥ１０（非特定ユーザ）から受信する再接続要求に応じて、特定セルを有する公衆セル用無線基地局に対して、特定セルの送信電力を低減するように指示する。また、再接続処理部４３は、特定セルの送信電力を低減するように指示した場合に、所定監視時間を監視タイマ４２にセットする。
【０１１５】
また、再接続処理部４３は、監視タイマ４２の満了に応じて、特定セルを有する公衆セル用無線基地局に対して、特定セルの送信電力の低減を解除するように指示する。
【０１１６】
（特定セル用ネットワーク装置の動作）
以下において、第１実施形態に係る特定セル用ネットワーク装置の動作について、図面を参照しながら説明する。図９は、第２実施形態に係る特定セル用ネットワーク装置２０の動作を示すフロー図である。
【０１１７】
図９に示すように、ステップ５１０において、特定セル用ネットワーク装置２０は、特定セル用ネットワーク装置２０は、ＵＥ１０（非特定ユーザ）から特定セルを経由して再接続要求を受信する。
【０１１８】
ステップ５２０において、特定セル用ネットワーク装置２０は、特定セルを有する公衆セル用無線基地局に対して、特定セルの送信電力を低減するように指示する。
【０１１９】
ステップ５３０において、特定セル用ネットワーク装置２０は、監視タイマ４２を起動する。具体的には、特定セル用ネットワーク装置２０は、所定監視時間を監視タイマ４２にセットする。
【０１２０】
ステップ５４０において、特定セル用ネットワーク装置２０は、監視タイマ４２が満了しているか否かを判定する。監視タイマ４２が満了している場合には、特定セル用ネットワーク装置２０は、ステップ５５０の処理に移る。監視タイマ４２が満了していない場合には、特定セル用ネットワーク装置２０は、監視タイマ４２の満了を待つ。
【０１２１】
ステップ５５０において、特定セル用ネットワーク装置２０は、特定セルを有する公衆セル用無線基地局に対して、特定セルの送信電力の低減を解除するように指示する。
【０１２２】
（作用及び効果）
第２実施形態では、特定セル用ネットワーク装置２０は、再接続要求に応じて、特定セル用無線基地局に対して、特定セルの送信電力を低減するように指示する。
【０１２３】
すなわち、特定セルへのアクセスが制限されたＵＥ１０（非特定ユーザ）が、特定セルからの干渉によって待ち受け又は通信を継続できない場合に、再接続要求に応じて、特定セルからの干渉を減少させる。従って、ＵＥ１０（非特定ユーザ）が設定する呼の切断を抑制することができる。
【０１２４】
［変更例１］
以下において、第１実施形態及び第２実施形態の変更例１について、図面を参照しながら説明する。以下においては、第１実施形態及び第２実施形態との相違点について主として説明する。
【０１２５】
具体的には、第１実施形態及び第２実施形態では、ＨＮＢ１１０Ｂの上位ノードは、ＨＮＢ−ＧＷ１２０Ｂである。一方で、変更例１では、図１０に示すように、ＨＮＢ１１０Ｂの上位ノードは、ＲＮＣ１２０Ａである。
【０１２６】
変更例１では、ＲＮＣ１２０Ａは、ＨＮＢ−ＧＷ１２０Ｂに代わって、ＨＮＢ１１０Ｂを管理する。すなわち、ＲＮＣ１２０Ａは、ＲＮＣ１２０Ａの配下に属する装置に対して、ＨＮＢ−ＧＷ１２０Ｂと同様の機能を提供する。
【０１２７】
また、第１実施形態及び第２実施形態では、ＨｅＮＢ２１０Ｂの上位ノードは、ＨｅＮＢ−ＧＷ２２０Ｂである。一方で、変更例１では、図１０に示すように、ＨｅＮＢ２１０Ｂの上位ノードは、ＭＭＥ２３０である。
【０１２８】
変更例１では、ＨｅＮＢ２１０Ｂは、ＨｅＮＢ−ＧＷ２２０Ｂに代わって、ＨｅＮＢ２１０Ｂの配下に属する装置に対して、ＨｅＮＢ−ＧＷ２２０Ｂと同様の機能を提供する。
【０１２９】
なお、ＨＮＢ−ＧＷ１２０Ｂのみが省略されてもよく、ＨｅＮＢ−ＧＷ２２０Ｂのみが省略されてもよい。
【０１３０】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１３１】
上述した実施形態では、特定セル用ネットワーク装置２０と公衆セル用ネットワーク装置３０との間で通信を行うことが可能であるケースについて例示した。しかしながら、特定セル用ネットワーク装置２０と公衆セル用ネットワーク装置３０との間で通信を行うことができないケースも考えられる。例えば、特定セル用ネットワーク装置２０を管理する通信事業者が公衆セル用ネットワーク装置３０を管理する通信事業者と異なるケースである。このようなケースでは、特定セル用ネットワーク装置２０は、ＵＥ１０が用いている周波数以外の周波数を用いるようにＵＥ１０に指示してもよい。例えば、特定セル用ネットワーク装置２０は、ＲＲＣコネクション解放によって、ＵＥ１０が用いている周波数以外の周波数を用いるようにＵＥ１０に指示してもよい。
【０１３２】
上述した実施形態では、特定セル用ネットワーク装置２０は、公衆セル用ネットワーク装置３０に対して、近傍公衆セル用無線基地局を識別可能に構成された近傍基地局情報を通知する。しかしながら、実施形態は、これに限定されるものではない。例えば、特定セル用ネットワーク装置２０は、近傍公衆セル用無線基地局に対して、近傍公衆セル用無線基地局が有する公衆セルを問い合わせてもよい。すなわち、特定セル用ネットワーク装置２０は、近傍公衆セル用無線基地局から、近傍公衆セル用無線基地局が有する公衆セルを示す情報（公衆セル情報）を受信してもよい。特定セル用ネットワーク装置２０は、近傍公衆セル用無線基地局に対して、公衆セル情報を通知する。
【０１３３】
上述した実施形態において、特定セル用ネットワーク装置２０に設けられた構成（通信部２１、収集部２２及び再接続処理部２３）が一つの装置に設けられるケースについて例示した。しかしながら、実施形態は、これに限定されるものではない。すなわち、通信部２１、収集部２２及び再接続処理部２３は、それぞれ、別々な装置に設けられていてもよい。
【０１３４】
上述した実施形態において、公衆セル用ネットワーク装置３０に設けられた構成（通信部３１、選択部３２及び設定部３３）が一つの装置に設けられるケースについて例示した。しかしながら、実施形態は、これに限定されるものではない。すなわち、通信部３１、選択部３２及び設定部３３は、それぞれ、別々な装置に設けられていてもよい。
【０１３５】
上述した実施形態において、特定セル用ネットワーク装置４０に設けられた構成（通信部４１、監視タイマ４２及び再接続処理部４３）が一つの装置に設けられるケースについて例示した。しかしながら、実施形態は、これに限定されるものではない。すなわち、通信部４１、監視タイマ４２及び再接続処理部４３は、それぞれ、別々な装置に設けられていてもよい。
【０１３６】
各装置間の通信では、ＲＡＮＡＰ（Ｒａｄｉｏ  Ａｃｃｅｓｓ  Ｎｅｔｗｏｒｋ  Ａｐｐｌｉｃａｔｉｏｎ  Ｐａｒｔ）、ＮＢＡＰ（Ｎｏｄｅ  Ｂ  Ａｐｐｌｉｃａｔｉｏｎ  Ｐａｒｔ）、ＲＮＳＡＰ（Ｒａｄｉｏ  Ｎｅｔｗｏｒｋ  Ｓｕｂｓｙｓｔｅｍ  Ａｐｐｌｉｃａｔｉｏｎ  Ｐａｒｔ）、ＨＮＢＡＰ（Ｈｏｍｅ  Ｎｏｄｅ  Ｂ  Ａｐｐｌｉｃａｔｉｏｎ  Ｐａｒｔ）などの制御信号が用いられる。
【０１３７】
なお、特定セル用ネットワーク装置２０、公衆セル用ネットワーク装置３０又は特定セル用ネットワーク装置４０の動作は、ハードウェアによって実施されてもよいし、プロセッサによって実行されるソフトウェアモジュールによって実施されてもよいし、両者の組み合わせによって実施されてもよい。
【０１３８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１３９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、特定セル用ネットワーク装置２０、公衆セル用ネットワーク装置３０又は特定セル用ネットワーク装置４０内に設けられていてもよい。また、かかる記憶媒体及びプロセッサは、ディスクリートコンポーネントとして特定セル用ネットワーク装置２０、公衆セル用ネットワーク装置３０又は特定セル用ネットワーク装置４０内に設けられていてもよい。
【符号の説明】
【０１４０】
１０…通信端末装置、２０…特定セル用ネットワーク装置、２１…通信部、２２…収集部、２３…再接続処理部、３０…公衆セル用ネットワーク装置、３１…通信部、３２…選択部、３３…設定部、４０…特定セル用ネットワーク装置、４１…通信部、４２…監視タイマ、４３…再接続処理部、５０…コアネットワーク、１００…移動通信システム、１１０Ａ…ＮＢ、１１０Ｂ…ＨＮＢ、１１１Ａ…公衆セル、１１１Ｂ…特定セル、１２０Ａ…ＲＮＣ、１２０Ｂ…ＨＮＢ−ＧＷ、１３０…ＳＧＳＮ、２１０Ａ…ｅＮＢ、２１０Ｂ…ＨｅＮＢ、２１１Ａ…公衆セル、２１１Ｂ…特定セル、２２０Ｂ…ＨｅＮＢ−ＧＷ、２３０…ＭＭＥ
【図１】
2011182124.tif 000003
【図２】
2011182124.tif 000004
【図３】
2011182124.tif 000005
【図４】
2011182124.tif 000006
【図５】
2011182124.tif 000007
【図６】
2011182124.tif 000008
【図７】
2011182124.tif 000009
【図８】
2011182124.tif 000010
【図９】
2011182124.tif 000011
【図１０】
2011182124.tif 000012